(57)【要約】【課題】タッチパネルからなる操作パネルにおいて、操作部の位置の変更を容易に行なえるようにし、使用者に応じて操作部をより使い易いものとする。【解決手段】撮影の操作に使用する操作部を表示するタッチパネル２１からなる操作パネル２０において、タッチパネル２１上に表示された操作部のマークであるズームマーク１０Ｂを指でドラッグすることによりこの操作部の位置を変更可能とするとともに、マークサイズ変更ボタン３４により、このズームマーク１０Ｂの表示の大きさを変更可能とする。【選択図】　　　　　図９
2004064205.tif 000002
【特許請求の範囲】
【請求項１】
撮影の操作に使用する操作部を表示するタッチパネルからなる操作パネルを備えた撮影装置であって、
前記操作パネルが、前記タッチパネルに表示された操作部のマークをドラッグすることにより該操作部の位置を変更可能に構成されているものであることを特徴とする撮影装置。
【請求項２】
前記操作パネルが、前記操作部のマークの大きさを変更可能に構成されているものであることを特徴とする請求項１記載の撮影装置。
【請求項３】
前記操作パネルが、前記操作部のマークとしてシャッタレリーズマークおよびズームマークのうちの少なくとも一方を表示するものであることを特徴とする請求項１または２記載の撮影装置。
【請求項４】
操作に使用する操作部を表示するタッチパネルからなる操作パネルであって、
前記表示された操作部のマークをドラッグすることにより該操作部の位置を変更可能に構成されていることを特徴とするタッチパネルからなる操作パネル。
【発明の詳細な説明】
【０００１】
【発明の属する技術分野】
本発明は、撮影装置に関し、詳しくは、撮影の操作に使用する操作部を表示するタッチパネルからなる操作パネルを備えた撮影装置に関するものである。
【０００２】
【従来の技術】
ビデオカメラやデジタルカメラ等の撮影装置には、シャッタボタンやズーム操作ボタンなど、カメラを操作する操作部が設けられている。カメラは大人や子供など、手の大きさの異なるユーザに使用されるため、ユーザに合わせて操作がし易いように工夫されたものが知られている。例えば、ズームボタンを操作する指が最適な位置に配置されるように使用者の手の大きさや指の長さ等に応じてグリップベルトの位置を変更するビデオカメラが知られている。（特開平０５−２８６２号公報等）
【０００３】
【発明が解決しようとする課題】
しかしながら、使用者にとって使い易い操作ボタンの配置は、各使用者毎の手の大きさや指の長さ等に応じて微妙に異なり、グリップベルトの位置を変更しただけでは十分に満足できるものとはならない。そこで、操作ボタンの位置を使用者に応じて変更したいという要請がある。
【０００４】
本発明は、上記事情に鑑みてなされたものであり、操作部の位置の変更を容易に行なえるようにし、使用者に応じて操作部をより使い易いものとすることができるカメラならびにタッチパネルからなる操作パネルを提供することを目的とするものである。
【０００５】
【課題を解決するための手段】
本発明の撮影装置は、撮影の操作に使用する操作部を表示するタッチパネルからなる操作パネルを備えた撮影装置であって、操作パネルが、タッチパネルに表示された操作部のマークをドラッグすることによりこの操作部の位置を変更可能に構成されていることを特徴とするものである。
【０００６】
前記操作パネルは、タッチパネルに表示された操作部のマークの大きさをも変更可能に構成されているものとすることができる。
【０００７】
前記操作パネルは、操作部のマークとしてシャッタレリーズマークおよびズームマークのうちの少なくとも一方を表示するものとすることができる。
【０００８】
なお、シャッタレリーズマーク（以下単に「レリーズマーク」という）とは、シャッタレリーズの操作機能を有する従来のカメラのレリーズボタンに相当するマークを意味するものであり、ズームマークとは、テレとワイドとの間で焦点距離を変えるズームの操作機能を有するスイッチに相当するマークを意味するものである。
【０００９】
本発明のタッチパネルからなる操作パネルは、操作に使用する操作部を表示するタッチパネルからなる操作パネルであって、表示された操作部のマークをドラッグすることによりこの操作部の位置を変更可能に構成されていることを特徴とするものである。
【００１０】
【発明の効果】
本発明の撮影装置によれば、操作パネルが、タッチパネルに表示された操作部のマークをドラッグすることによりこの操作部の位置を変更可能に構成されているので、この操作部の位置を容易に変更することができ、これにより、操作部を使用者に応じて使い易いものとすることができる。
【００１１】
また、操作パネルを、タッチパネルに表示された操作部のマークの大きさをも変更可能に構成されたものとすれば、このカメラの使用者に応じて操作部をより使い易いものとすることができる。例えば、手の大きい人は、各操作マークを大きく表示させるとともに、各操作マーク間の間隔を広げることにより、誤操作を少なくすることができる。
【００１２】
さらに、操作パネルが、操作部のマークとしてレリーズマークおよびズームマークのうちの少なくとも一方を表示するものとすれば、撮影装置の基本的な操作を行なう操作部の位置の変更が容易に行なえるので、操作部を使用者に応じて使い易いものとする顕著な効果を期待することができる。
【００１３】
本発明のタッチパネルからなる操作パネルによれば、この操作パネルがタッチパネルに表示された操作部のマークをドラッグすることによりこの操作部の位置を変更可能に構成されているので、操作部の位置の変更を容易に行なうことができる。これにより、使用者に応じて操作部を使い易いものとすることができる。
【００１４】
【発明の実施の形態】
以下、本発明の実施の形態について、図面を用いて説明する。図１は本発明の実施の形態によるカメラの概略構成を示す図、図２は液晶モニタ上に表示されたマーク位置設定モードを示す図、図３は液晶モニタ上に表示された縦横設定の選択肢を示す図、図４はタッチパネルに縦モードで操作マークを表示させた様子を示す図、図５はレリーズマークの大きさを変更する様子を示す図、図６はレリーズマークをドラッグして移動させる様子を示す図、図７は液晶モニタ上に表示された基本設定のズームの選択肢を示す図、図８はタッチパネル上のズームマークの表示方向を上下方向に変更した様子を示す図、図９はズームマークをドラッグして移動させる様子を示す図、図１０（ａ）は液晶モニタ上に表示された操作マーク記憶の選択肢を表示させた様子を示す図、図１０（ｂ）は液晶モニタ上に表示された操作マーク復元の選択肢を表示させた様子を示す図である。
【００１５】
図１に示すように、本発明の第１の実施の形態による撮影装置であるカメラ１００は、撮影の操作に使用する操作部を表示するタッチパネル２１からなる操作パネル２０を備えている。
【００１６】
操作パネル２０は、有機ＥＬからなるタッチパネル２１に表示された操作部のマークである操作マーク１０Ａ、１０Ｂ、１０Ｃ、…をドラッグすることによりそれぞれの操作部の位置を変更可能に構成されているものであり、さらに、タッチパネル２１に表示された各操作マーク１０Ａ、１０Ｂ、１０Ｃ、…の大きさをも変更可能に構成されている。
【００１７】
次に上記実施の形態における作用について説明する。
【００１８】
電源スイッチ３９をＯＦＦからＯＮに切り換えてカメラ１００の電源をＯＮにすると、タッチパネル２１上に操作マークであるレリーズマーク１０Ａ、ズームマーク１０Ｂ、ストロボマーク１０Ｃおよびマクロマーク１０Ｄが表示されるとともに、モニタ表示マーク３１、セットアップマーク３２およびスクロールマーク３３が表示される。このとき初期設定における表示では、各操作マークが、予め定められた初期設定位置に初期設定の大きさで、かつ後述する横モードで表示される。
【００１９】
次に、セットアップのメニューを用いて各操作マークの位置および大きさを変更する。
【００２０】
上記タッチパネル２１に表示されたモニタ表示マーク３１を押して液晶モニタ３０を表示モードにした後、セットアップマーク３２を押して液晶モニタ３０上にセットアップのメニューを表示させる。続いて、液晶モニタ３０の画面内容をスクロールさせるスクロールマーク３３を押して液晶モニタ３０上に表示されたセットアップのメニューをスクロールしマーク位置設定モードを表示させる。
【００２１】
図２に示すように、液晶モニタ３０にはマーク位置設定モード４０とこのマーク位置設定モード４０に含まれるサブメニューである縦横設定５０、基本設定６０、および応用設定７０が表示される。ここで、基本設定５０のサブメニューとしてレリーズ６１、ズーム６２、ストロボ６３、およびマクロ６４が表示され、応用設定７０のサブメニューとしては露出補正７１が表示される。その他、図２中には示されていないが、応用設定７０のサブメニューにはホワイトバランス、画素数設定、画像圧縮率、および連写のサブメニューが含まれる。
【００２２】
ここで上記縦横設定５０を選択すると、図３に示すように選択肢として縦モード５１、横モード５２が表示される。なお、液晶モニタ３０はタッチパネルとしての機能をも備えているので、上記縦横設定５０の選択は液晶モニタ３０上の表示を押すことによって行なうことができる。この状態で縦モード５１を選択すると、図４に示すように、タッチパネル２１にモニタ表示マーク３１、セットアップマーク３２、スクロールマーク３３、および操作マークであるレリーズマーク１０Ａ、ズームマーク１０Ｂ、ストロボマーク１０Ｃ、マクロマーク１０Ｄが、予め定められた縦モードの初期設定位置に初期設定の大きさで表示される。
【００２３】
ここでは、上記電源をＯＮにしたときの初期設定としてタッチパネル２１に表示された横モードの表示形式を採用する。
【００２４】
次に、レリーズマーク１０Ａの設定を変更するために上記液晶モニタ３０中に表示された基本設定のレリーズ６１（図２参照）を選択する。これにより、タッチパネル２１上の初期位置に表示されているレリーズマーク１０Ａが点滅するとともに、マークサイズ変更ボタン３４、ＯＫボタン３５、および消去ボタン３６がこのタッチパネル２１上に表示される。
【００２５】
この状態で、図５に示すように、レリーズマーク１０Ａの大きさをマークサイズ変更ボタン３４を押して変更する。ここではレリーズマーク１０Ａを大きく表示させるように変更する。次に、図６に示すように、この大きさが変更され点滅しているレリーズマーク１０Ａを図中矢印Ｑ１方向にドラッグして所望の位置Ｐ１に移動させた後、ＯＫボタン３５を押す。これにより、タッチパネル２１中におけるレリーズマーク１０Ａの大きさと位置とが決定される。これと同時に操作が不要となったマークサイズ変更ボタン３４、ＯＫボタン３５、および消去ボタン３６がタッチパネル２１から自動的に消去される。
【００２６】
次に、図７に示すように、液晶モニタ３０に表示されている基本設定６０のサブメニューであるズーム６２を選択すると、上下方向表示６５と左右方向表示６６の選択肢が表示される。ここで上下方向表示６５を選択すると、図８に示すようにタッチパネル２１上のデフォルト位置に表示されているズームマーク１０Ｂが上下方向の表示に変更されるとともに点滅する。このとき上記と同様にマークサイズ変更ボタン３４、ＯＫボタン３５、および消去ボタン３６がこのタッチパネル２１上に表示される。
【００２７】
この状態でズームマーク１０Ｂの大きさをマークサイズ変更ボタン３４で変更する。ここではズームマーク１０Ｂを小さく表示させるように変更する。続いて、図９に示すように、この小さく表示され点滅しているズームマーク１０Ｂを図中矢印Ｑ２方向にドラッグして所望の位置Ｐ２に移動させた後、ＯＫボタン３５を押す。これにより、タッチパネル２１中にズームマーク１０Ｂの位置と大きさとが決定される。これとともに、上記と同様にマークサイズ変更ボタン３４、ＯＫボタン３５、および消去ボタン３６がタッチパネル２１から自動的に消去される。
【００２８】
上記と同様の操作によって、各操作マークを所望の位置に所望の大きさで表示させることができる。なお、上記操作マークの大きさが大きくなるにしたがって、この操作マークの操作に反応する領域の大きさも大きくなり、操作マークの表示領域と操作マークの操作に反応する領域とが一致する。すなわち、レリーズマーク１０Ａを押すとカメラのシャッタが切られるが、このとき、レリーズマーク１０Ａの表示領域中のどの領域を押してもシャッタが切られるようになっており、このレリーズマーク１０Ａが大きく表示され表示領域が大きくなったときには、この大きくなった表示領域中のどの領域を押してもシャッタが切られるように設定が変更される。
【００２９】
なお、液晶モニタ３０に表示されたマーク位置設定モード４０の応用設定７０のサブメニューとして表示される露出補正、ホワイトバランス、画素数設定、画像圧縮率、連写に対応する操作マークは初期設定ではタッチパネル２１中に表示されないが、応用設定７０のサブメニューからの選択によりタッチパネル２１上に操作マークを表示させ、その後、上記レリーズマーク１０Ａやズームマーク１０Ｂの位置と大きさとを変更したときと同様の操作によって、応用設定７０に示される各操作マークの位置と大きさとをタッチパネル２１中に定めることができる。例えば、応用設定７０のサブメニューとして表示される露出補正７１選択し、こおれに対応する露出補正マーク１０Ｅを所望の位置Ｐ３に所望の大きさで表示させることができる（図９参照）。
【００３０】
このように、使用頻度が少なくセットアップのメニュー中の応用設定に含まれるような機能の設定は、一般にセットアップのメニュー中の深い階層に組み込まれるので操作し難くなっているが、このような機能について設定変更を頻繁に行ないたい使用者は、この機能に対応する操作マークをタッチパネル２１上の操作し易い位置に操作し易い大きさで配置することができ、これにより上記機能の設定を容易に変更することができる。
【００３１】
なお、タッチパネル２１上に表示された操作マークを削除するときには、操作マークを上記操作によって点滅させ、この状態で消去ボタン３６を押すことによりタッチパネル２１上からこの操作マークを削除することができる。
【００３２】
また、上記のようにタッチパネル２１上の操作マークの表示位置および表示の大きさを予め異なる使用者毎に数種類設定して記憶させておくこともできる。例えば、操作マークの設定が完了した後、図１０（ａ）に示すように、マーク位置設定モード４０の操作マーク記憶４１を押してその選択肢４２を表示させ、表示された選択肢４２（マークメモリＡ、マークメモリＢ、マークメモリＣ、マークメモリＤ）から例えばマークメモリＡを選択することにより、このマークメモリＡに対応付けてタッチパネル２１上に表示された各操作マークの位置と大きさとが記憶される。
【００３３】
このようにして、タッチパネル２１上の操作マークの位置と大きさとを記憶させておくことにより、より簡単な操作で所望の複数の操作マークをタッチパネル２１中の所望の位置に所望の大きさで表示させることができる。
【００３４】
なお、マークメモリＣに記憶された各操作マークの位置と大きさとをタッチパネル２１上に復元する場合には、図１０（ｂ）に示すように、マーク位置設定モード４０の操作マーク復元４３を押して、その選択肢４４（マークメモリＡ、マークメモリＢ、マークメモリＣ、マークメモリＤ）を表示させ、表示された選択肢４４からマークメモリＣを選択することにより、このマークメモリＣに対応付けて記憶された各操作マークをタッチパネル２１上の所定の位置に所定の大きさで表示させることができる。このように、操作マークの設定変更を簡単に行なえるようにすることにより、１つのカメラを複数の使用者が利用する場合であっても、各使用者それぞれが所望する位置に所望の大きさで操作マークが表示されている操作パネルに簡単に変更することができる。
【００３５】
また、図１１に示すように、カメラの背面側から上面側に亘る角部８０、すなわち、タッチパネル２１中の指に触れやすい領域に操作マークを表示させることにより、この操作パネルをより使い易いものとすることもできる。
【００３６】
なお、上記操作パネルを備えたカメラは例えば以下のような構成とすることができる。
【００３７】
すなわち、図１２のブロック図で示すように、上記カメラは、例えば、被写体１０９を撮像する撮像部１１０、撮像された画像データを画像処理するＤＳＰ１２０、画像処理が施された画像を記憶する記憶部１３０、画像処理が施された画像を表示するタッチパネルの機能をも有する液晶モニタ３０、撮影の操作に使用する操作マークを表示する操作マーク表示部１４０、およびカメラ全体の動作および信号入出力のタイミング等を制御するＣＰＵ１８０を備えたものとすることができる。
【００３８】
ここで、撮像部１１０は、ズームレンズ部１１１を通して結像された被写体１０９の像をＣＣＤ素子１１２で光電変換し撮像処理部１１３で撮像処理を施して画像信号を得、この画像信号をＡ／Ｄ変換部１１３でＡ／Ｄ変換してデジタル画像データを出力する。なお、ＣＣＤ素子１１２は撮像処理部１１３によって制御されシャッタースピード等が定められる。また、操作マーク表示部１４０には、撮影の操作に使用する操作部のマークである操作マークを表示するタッチパネル２１およびタッチパネル２１への操作マークの表示をコントロールする操作パネル制御部２２からなる操作パネル２０、およびタッチパネル２０に表示する操作マークの位置、大きさ、および形状等を記憶する操作マーク記憶部１４１が備えられる。
【００３９】
なお、上記実施の形態においては、タッチパネルに基本設定に含まれるレリーズマーク、ズームマーク、ストロボマーク、マクロマークの全てを表示させる例を示したが、必ずしも上記基本設定に含まれる操作マークの全て、または１部分を表示させる場合に限らず、操作マークのタッチパネルへの表示および操作マークのタッチパネルからの消去について制限を受けることはない。すなわち、タッチパネルにはどのような操作マークを表示させてもよく、かつ、この操作マークをどのように表示させてもよい。
【００４０】
なお、操作パネルは、必ずしもタッチパネルに表示された操作マークの大きさを変更可能に構成されているものとする場合に限らない。
【００４１】
さらに、上記縦横設定モードの他、例えば子供用表示、すなわちタッチパネル２１中の文字の表示をひらがなに変更する設定モードを付加するようにすることもできる。
【００４２】
なお、本発明のタッチパネルからなる操作パネルは、携帯電話等の情報端末のキーボード、あるいは家電操作用リモコンの操作パネル等、撮影装置以外の機器にも採用することができる。
【図面の簡単な説明】
【図１】本発明の実施の形態によるカメラの概略構成を示す図
【図２】液晶モニタ上に表示されたマーク位置設定モードを示す図
【図３】液晶モニタ上に表示された縦横設定の選択肢を示す図
【図４】タッチパネルに縦モードで操作マークを表示させた様子を示す図
【図５】レリーズマークの大きさを変更する様子を示す図
【図６】レリーズマークをドラッグして移動させる様子を示す図
【図７】液晶モニタ上に表示された基本設定のズームの選択肢を示す図
【図８】タッチパネル上のズームマークの表示方向を上下方向に変更した様子を示す図
【図９】ズームマークをドラッグして移動させる様子を示す図
【図１０】液晶モニタ上の表示された操作マーク記憶と操作マーク復元とを表示させた様子を示す図
【図１１】カメラの背面側から上面側に亘る角部の領域に操作マークを表示させた様子を示す図
【図１２】本発明の実施の形態によるカメラを構成するためのブロック図の例を示す図
【符号の説明】
１０　　操作部
２０　　操作パネル
２１　　タッチパネル
１００　　カメラ
【図１】
2004064205.tif 000003
【図２】
2004064205.tif 000004
【図３】
2004064205.tif 000005
【図４】
2004064205.tif 000006
【図５】
2004064205.tif 000007
【図６】
2004064205.tif 000008
【図７】
2004064205.tif 000009
【図８】
2004064205.tif 000010
【図９】
2004064205.tif 000011
【図１０】
2004064205.tif 000012
【図１１】
2004064205.tif 000013
【図１２】
2004064205.tif 000014